(57)【要約】【課題】  生け花の大衆化を図るためにも、熟練技術の有無に関わらず誰もが自分の意図する姿の生け花を容易に作り上げることができ、且つ作り上げた生け花の花形の不動状態を確実に保持することができる生花整形体とその生花整形体を使用する花器を提供することを目的とする。【解決手段】  花器内に設置する基体１と、基体の上面から内部に穿設する保持穴２と、花器内の水を基体の上下又は保持穴に導く透水部３，２４，２５と、を備え、前記保持穴は下窄み状に形成してあることを特徴とする生花整形体。保持穴を長穴としても良い。【選択図】      図１（ａ）（ｂ）（ｃ）
2007090034.tif 000002
【特許請求の範囲】
【請求項１】
花器内に設置する基体（１）と、基体（１）の上面から内部に穿設する保持穴（２）と、花器内の水を基体（１）の上下又は保持穴（２）に導く透水部（３，２４，２５）と、を備え、前記保持穴（２）は下窄み状に形成してあることを特徴とする生花整形体。
【請求項２】
前記基体（１）の上面に保持穴（２）を一つ又は複数設け、少なくとも一つの保持穴（２）を長穴としてあることを特徴とする請求項１記載の生花整形体。
【請求項３】
盤（２９）の上面に収容穴（３０）を一つあけ、収容穴（３０）に対して一つの基体（１）を抜き差し可能に挿入すると共に、盤（２９）には保持穴（２）に通じる導水部（３３）を設け、収容穴（３０）内での基体（１）の向きを段階的又は無段階的に変更可能な形状に収容穴（３０）と基体（１）を形成し、収容穴（３０）内の基体（１）と盤（２９）を一体化する拘束手段（３４）を有することを特徴とする請求項１又は２記載の生花整形体。
【請求項４】
前記基体（１）には保持穴（２）が多数設けてあり、その多数設けた保持穴（２）の一部が傾斜していることを特徴とする請求項１又は２記載の生花整形体。
【請求項５】
前記保持穴（２）は下方に向かって１５°〜２５°のテーパが設けてあることを特徴とする請求項１、２又は４記載の生花整形体。
【請求項６】
前記透水部（３，２４）は、基体（１）の側面から保持穴（２）内に通じる透水孔（３）又は透水溝（２４）であることを特徴とする請求項１記載の生花整形体。
【請求項７】
前記基体（１）の周囲を覆う化粧枠（４）を基体（１）の上から被せ、化粧枠（４）の上部には基体（１）の上面を覆う天板部（４ｂ）を設け、天板部（４ｂ）には少なくとも一つの保持穴（２）に通じる窓穴（９）をあけ、化粧枠（４）の下部の複数個所に緊張した状態で掛け渡した下受バンド（４０）によって、基体（１）の底面を支持して一体化することを特徴とする請求項１記載の生花整形体。
【請求項８】
前記盤（２９）の周囲を覆う化粧枠（４）を盤（２９）の上から被せ、化粧枠（４）の上部には盤（２９）の上面を覆う天板部（４ｂ）を設け、天板部（４ｂ）には少なくとも一つの保持穴（２）に通じる窓穴（９）をあけ、化粧枠（４）の下部の複数個所に緊張した状態で掛け渡した下受バンド（４０）によって、盤（２９）の底面を支持して一体化することを特徴とする請求項３記載の生花整形体。
【請求項９】
前記基体（１）には、基体（１）を花器内から出し入れするための棒状の把持具（２２）が備えてあることを特徴とする請求項１記載の生花整形体。
【請求項１０】
上面が開口する外装容器体（１８）と、外装容器体（１８）内の水を排水するための排水手段（２０）と、を備え、前記外装容器体（１８）の底には請求項１記載の基体（１）が固定してあり、基体（１）と外装容器体（１８）を木製としてあることを特徴とする花器。
【発明の詳細な説明】
【技術分野】
【０００１】
本発明は、花や樹木などを生けるのに用いる剣山に相当する生花整形体とその生花整形体を使用する花器に関するものである。
【背景技術】
【０００２】
生け花とは、花や樹木などを花瓶や水盤といった花器に美しく飾るものであり、生け花の美しさに花器の豪華さなどが相まって、見る人の気分を和ませ、人の気持ちを優しくすると共に元気を与えてくれる作用を有している。この作用を長期間に亘って有効に発揮するためには、生け花がみずみずしい生気を保ち続けなければならないことはもちろんのこと、見る角度を計算し、全体の形を十分に考慮して美しく作り上げられた生け花の姿を保ち続けなければならない。このような生け花の状態を保持するためには、生け花の角度や形を変えることなく花器内の水を少なくとも毎日欠かさず取り替えることが必要とされている。
【発明の開示】
【発明が解決しようとする課題】
【０００３】
しかしながら、従来の水交換作業においては、生け花を一旦花器内から取り出すか、ポンプを使用しなければならず、作者の思い通りに作り上げられた美しい生け花の姿が崩されると共に、作者の意図も完全に失われてしまい、更には、花器内に新しい水を補給した後に、再び生け花を花器内に生け直す必要があるため、作品本来の姿が全く変えられてしまうことはもちろんのこと、手間がかかり非常に面倒であった。
【０００４】
特に、花器の形状が水盤である場合には剣山を使用するため、花の茎や樹木を斜めに切って一本一本剣山の針に刺して固定しなければならず、剣山の針の部分は長いもので２ｃｍ程度と非常に短く形成されていることから、その作業は非常に難しく、更に全体の見栄えをも考慮しながら作業を行わなければならないため、熟練した高度な技術が必要となり、未熟者には非常に困難な作業であった。また、従来の剣山は鉛を使用していることから、環境汚染の点からも問題となっていた。
【０００５】
そこで本発明は、人間を含めた全ての生き物は、水の持つ自然の力に守られて日々生活をしており、そのことに感謝し、花、緑、水を大切にする生活姿勢こそが本当のゆとり、そして豊かさであるという発明者の理念を基に、生け花の大衆化を図るためにも、熟練技術の有無に関わらず誰もが自分の意図する姿の生け花を容易に作り上げることができ、且つ作り上げた生け花の花形の不動状態を確実に保持することができる生花整形体とその生花整形体を使用する花器を提供することを目的とする。
【課題を解決するための手段】
【０００６】
上記目的を達成するために、本発明のうち請求項１記載の発明は、花器内に設置する基体と、基体の上面から内部に穿設する保持穴と、花器内の水を基体の上下又は保持穴に導く透水部と、を備え、前記保持穴は下窄み状に形成してあることを特徴とする。
【０００７】
ここで基体とは、内部に保持穴を形成できる形状のものを全て含める概念であり、例えば柱状体や方形状体などを挙げることができ、その中でも特に加工性の良い角柱状体にすることが望ましい。また基体の材質については、有害でない金属、陶器など様々な材質を挙げることができるが、合成樹脂又は木材にすることが望ましい。合成樹脂と木材は安価であるため低コストで生花整形体を製作できると共に、成型性に優れているため保持穴の加工が容易に行うことができる。このため、保持穴を形成する位置や個数を自由に変更することが可能となり、多様な形態の生花整形体を用意することができるので、生け花の自由化が進む今日において非常に好適となる。また、例えば池坊や滝生派、草月流等の様々な流派の基本に従った位置及び角度にも保持穴を容易に形成することができるので、伝統ある華道の様々な流派においても剣山に代わるものとして違和感なく使用することができる。また基体だけを予め製作しておき、後から顧客の注文に応じて適宜箇所及び個数の保持穴の加工を簡便に行うこともできる。さらに、合成樹脂及び木材は金属や陶器などに比べると柔軟な材質であるため、保持穴内に挿し込まれる花樹を傷めることなく適度に締め付けて保持固定することができる。その中でも特に木材にすれば、花樹と同質の材質となるため相性が非常に良く、挿し込まれる花樹がなじんでより一層花樹を傷めることなく保持固定できると共に、木材は吸水性を備えているため、挿し込まれる花樹の切り口に水が十分に行き渡り花樹を長持ちさせることができる。
【０００８】
保持穴の形状については、基体の内部に向かって下窄み状であれば角錐状などであてもよいが、挿し込まれる花樹を傷めないためにも円錐状にすることが望ましい。保持穴の形態については、一輪挿しのような単数だけ備える形態であってもよいし、多数備える形態であってもよく、また基体の上面から内部に向かって垂直に穴を形成する形態でもよいし、請求項２記載の発明のように、基体の上面に保持穴を一つ又は複数設け、少なくとも一つの保持穴を長穴としても良い。このようにすれば、保持穴に挿す花樹の傾き角度を調整できる。また、内部に向かって傾斜させる形態であってもよいが、請求項４記載の発明のように、基体に保持穴を多数設け、その多数設けた保持穴の一部を傾斜させることが望ましい。このように構成にすれば、保持穴に花樹を挿し込むだけで垂直方向や斜め方向に固定でき、立体的な姿の生け花を容易に作り上げることができる。また、斜め方向に花樹を差し込めるので、全体的にバランスの良いあしらいを構成することができる。傾斜させる方向については、生け花の姿が全体的に丸くなるようにするためにも、基体の内部中心に向かって傾斜させることが望ましい。
【０００９】
基体をそのまま花器内に設置して使用しても良いが、基体を盤に対して着脱可能とする構造であっても良い。即ち、請求項３記載の発明のように、盤の上面に収容穴を一つあけ、収容穴に対して一つの基体を抜き差し可能に挿入すると共に、盤には透水部に通じる導水部を設け、収容穴内での基体の向きを段階的又は無段階的に変更可能な形状に収容穴と基体を形成し、収容穴内の基体と盤を一体化する拘束手段を有するものでも良い。
【００１０】
ここで、保持穴については、先にも記した通り、円錐形状にするのが望ましく、基体の上下方向に垂直に形成するものと、傾斜させて形成するものがある。垂直の保持穴の形状としては、下方に向かって径が小さくなっていれば特に限定はしないが、挿し込まれた花樹を瞬時に保持して効率良く固定するためにも、請求項５記載の発明のように、下方に向かって１５°〜２５°（好ましくは１８°〜２０°）のテーパを設けることが望ましい。テーパの角度を１５°よりも小さくすると、保持穴内に花樹をスムーズに挿し込むことができなくなり、反対に２５°よりも大きくすれば、花樹を保持内に安定に保持できなくなる。このようにテーパの角度を１５°〜２５°にすれば、保持穴内に挿し込まれる花樹を瞬時に保持し、安定に固定することが可能となる。また、基体上面側の保持穴の径については、基体の高さによって適宜変更するものであるが７ｍｍ〜１８ｍｍの範囲内に設定することが望ましく、基体の底面側の径については、基体の高さとテーパの設定角度によって決まってくるが、４ｍｍ〜７ｍｍの範囲内で調節可能にすることが望ましい。具体的には、基体の高さが５０ｍｍの場合は基体上面側の保持穴径は１８ｍｍ〜１９ｍｍ、基体の高さが３５ｍｍの場合は基体上面側の保持穴径は１２ｍｍ〜１３ｍｍ、基体の高さが２５ｍｍの場合は基体上面側の保持穴径は９ｍｍ〜１０ｍｍ、基体の高さが１５ｍｍの場合は基体上面側の保持穴径は７ｍｍ〜８ｍｍにすることが好ましい。傾斜する保持穴の傾斜角度については、基体の中心部近傍に設ける場合は９°〜１０°、その他の部分に設ける場合は２５°〜５０°の範囲内にすることが望ましい。この範囲内であれば、どの流派にも対応することが可能であると共に、斜め方向から挿し込まれた花樹を確実に固定し、バランスを崩して倒れるようなことを確実に防ぐことができる。
【００１１】
透水部の備える手段としては、基体の上面から下面に貫通する透水孔を形成してもよいし、基体の側面に上下方向の透水溝を設けてもよいし、また、保持穴の一部を透水部として使用してもよいが、請求項６記載の発明のように、前記透水部は、基体の側面から保持穴内に通じる透水孔又は透水溝であることが望ましい。この場合は、基体の横方向に水平な透水孔を貫通させ、その透水孔を保持穴と連通させたり、基体の底面に保持穴に連通するように水平な透水溝を形成する方法などを挙げることができる。尚、透水部を保持穴に連通するように設けた生花整形体は、花器の底面に生花整形体を載置する場合に好都合となり、透水部を基体の上下方向に設けた生花整形体は、花瓶などの口部近傍に備える場合に好都合となる。
【００１２】
基体はそのまま花器内に収納して使用してもよいが、基体の周りに化粧枠を取り付けてから花器内に収納することが望ましい。このように構成すれば、化粧枠によって基体が外観から見えなくなるため体裁が良好となり、例えば水盤状のような比較的浅い花器内に収納した場合に、外部から生花整形体が見えてしまっても、生け花の外観を損ねることがない。化粧枠は基体と完全に固定させてもよいし、着脱可能にしてもよい。化粧枠を重みのある材質から形成すれば、基体に重量を持たせることができるので、花器内に水を注入した場合に、基体が浮き上がってしまうことを防ぐと共に、生け花の重さに負けて倒れたしまうことを防いで、生け花に安定感を持たせて不動状態を確実に保持することができる。
【００１３】
また、請求項７記載の発明のように基体の周囲を覆う化粧枠を基体の上から被せ、化粧枠の上部には基体の上面を覆う天板部を設け、天板部には少なくとも一つの保持穴に通じる窓穴をあけ、化粧枠の下部の複数個所に緊張した状態で掛け渡した下受バンドによって、基体の底面を支持して一体化しても良い。
【００１４】
請求項８記載の発明のように、盤の周囲を覆う化粧枠を盤の上から被せ、化粧枠の上部には盤の上面を覆う天板部を設け、天板部には少なくとも一つの保持穴に通じる窓穴をあけ、化粧枠の下部の複数個所に緊張した状態で掛け渡した下受バンドによって、盤の底面を支持して一体化しても良い。
【００１５】
前記化粧枠の材質については特に限定しないが、本生花整形体を水の中で安定させるために、比重１以上の部材（例えば陶器、金属など）で形成することが望ましい。また、基体の下方に重量部材を備えてもよい。
【００１６】
基体を花器内に出し入れする場合、基体を直接手で持って行ってもよいが、請求項９記載の発明のように、基体に花器内から取り出すための棒状の把持具を備えることが望ましい。このよう把持具を備えれば、花器内に基体を出し入れする場合、花器内に手を入れて直接基体を持ち上げたりする必要がないので、出し入れ作業が簡便になると共に、把持具の長さを長くしておけば、生け花に触れることなく基体を出し入れすることが可能となり、さらには、花器内の水に手を入れる必要がないため、手が荒れることを確実に防ぐことができる。ここで、把持具の取り付け方法としては、基体に固定してもよいし、着脱可能にしてもよく、固定する場合は、例えば把持具の下端部外面にネジを形成し、基体の上面からネジ部をねじ込んで固定してもよいし、基体が木材であれば、把持具の下端部を釘状に形成し、基体の上面から釘状部分を打ち込んで固定してもよい。把持具を着脱可能にする場合は、例えば基体の上面に把持具の取付穴を形成し、その取付穴内に着脱可能に嵌め込んでもよいし、取付穴の内面と把持具の外面にネジを形成して螺合させてもよい。このように把持具を着脱可能にしておけば、基体を花器内に収納した際や、基体に生け花を生ける際に取り外しておくことができるので、作業の邪魔になったり、生け花の見栄えを損ねたりすることがない。また、基体の側面にＬ字状の把持具を固定し、把持具が前後方向に倒れるように構成してもよい。このように構成すれば、把持具を不要な際に倒しておけるので、前記と同様に保持具が作業の邪魔にならないことは勿論のこと、把持具が紛失してしまうことを確実に防ぐことができる。
【００１７】
ここで、本発明の生花整形体を収納する花器の形状については、内部に生花整形体を収納可能であればどのような形状であってもよく、例えば筒状体、壺状体、方形体、水盤体など様々な形状のものを挙げることができるが、展示会場や特設会場などといった屋内外を問わず広い場所で使用するような大型のものの場合には、請求項１０記載の発明のように、上面が開口する外装容器体と、外装容器体内の水を排水するための排水手段と、を備え、前記外装容器体の底には請求項１記載の基体が固定してあり、基体と外装容器体を木製としてある形態の花器を使用することが望ましい。排水手段を備えているので、外装容器体を移動させることなく水交換作業が行えるので、大型の花器には好都合となる。さらに基体を外装容器体に固定するので、外装容器体内に水を注入しても基体が浮き上がったり、花樹の重さで倒れることがないため、生け花の安定状態を確実に保つことができる。外装容器体とは、木材で形成されたものを全て含める概念であり、その形状は上面が開口しているものであれば、特に限定するものではない。排水手段とは、外装容器体内の水を完全に排水可能な手段を全て含めるものであり、例えば外装容器体の底又は底近傍に排水孔を形成したり、ホースなどを取り付けてもよい。この場合、排水孔を塞いだり、ホースを閉口して止水するための止水部材を備える必要がある。基体の備える個数は単数であってもよいし、複数であってもよく、使用する場所や外装容器体の大きさに応じて適宜変更するものである。また基体の固定方法としては、基体も外装容器体も木製であるので外装容器体の底の裏側から釘などを打ち込んで固定してもよいし、接着剤などで固着させてもよい。
【発明の効果】
【００１８】
請求項１記載の発明によれば、本発明の生花整形体に花樹を生ける場合、基体の保持穴内に花樹を挿し込むだけで、花樹の下端部が保持穴の下窄み状の部分で安定且つ強固に固定保持されると共に、瞬時にその不動状態を保つことができるので、剣山を使用する場合のような高度な技術を必要とせずに、子供でも誰でも容易に自分の思い通りの素晴らしい花形に作り上げることができる。また、生け花の不動状態が確実に保持されるので、生け花の花形を崩すことなく花器内から生花整形体を出し入れ可能になるので、花器内の水交換作業を簡便に行うことができる。さらには、生花整形体を花器内に収納し、花器内に水を注入した場合、花器内の水が透水部を介して基体内を循環するため、汚い水が花器内の一定の場所に留まることを防いで、花樹の生き生きとした状態を長期間に亘って保つことができる。このため本発明の生花整形体さえあれば、誰もが生け花を手軽に楽しむことができるので、小学校などの授業に本発明の生花整形体を使用した生け花の時間を設けることで、子供の時から花、緑、水を大切にする気持ちを育むことができ、また老人介護施設などのリハビリに取り入れることで、施設を利用する人の気持ちを和ませたりと、生け花の大衆化を図ることができ、人々に本当のゆとり、豊かさのある生活というものが何であるかということを知って貰うきっかけにすることができる。
【００１９】
請求項２記載の発明によれば、長穴の長さ範囲で花を傾けたり鉛直に立てたりして自由に活けることができる。長穴が長いほど、花樹を大きく傾けて活けられるし、その長穴の範囲であれば任意箇所に花樹を挿すこともできるし、さらには一つの保持穴に複数の花樹を活けることも可能となる。
【００２０】
請求項３記載の発明によれば、収容穴内での基体の向きを段階的又は無段階的に変更可能なので、活けた後からでも刺し直すことなく基体の向きを変えるだけで花の向きを変えられる。また、盤と基体が拘束手段によって一体化するので、差した花が安定する。さらに、盤を抜き差し可能にしてあるので、盤の収容穴の底面や、基体自体を洗いやすい。基体を何種類か用意しておけば、盤に付ける基体を交換して、各々の基体の保持穴に合わせて花樹を活けられる。また、導水部が保持穴に通じているので、保持穴の水を清潔に保持できる。
【００２１】
請求項４記載の発明によれば、保持穴を多数設けることにより、従来の剣山の形態に近づくと共に、花樹の挿し込む場所が増えるので多様な生け方を楽しむことができる。また多数あるうちの一部の保持穴を傾斜させることで、花樹を斜め方向から生けることができ、立体的な素晴らしい花形を容易に作り上げることができると共に、様々な流派の基本に従って花樹を生けることもできる。さらに、斜めに挿し込まれた花樹は保持穴内で安定且つ強固に固定保持されるので、作り上げた花形の不動状態を確実に保持することができる。
【００２２】
請求項５記載の発明によれば、保持穴に下方に向かって１５°〜２５°（好ましくは１８°〜２０°）のテーパを設けることにより、保持穴内に花樹をスムーズに挿し込むことが可能であると共に、挿し込まれた花樹を瞬時に固定し、且つ挿し込まれた状態を安定に保持しておくことが可能となり、生け花の花形が崩れてしまうことを確実に防止することができる。５ｍｍ〜８ｍｍの径の茎又は枝については１０°〜２０°が好ましい。１０ｍｍ〜１４ｍｍの径の茎又は枝については１５°〜２０°が好ましい。
【００２３】
請求項６記載の発明によれば、生花整形体を花器内に収容し、花器内に水を注入した場合、水が透水孔又は透水溝を介して保持穴内に循環するため、汚い水が保持穴内に留まることを防ぐことができるので、花樹の切り口にはきれいな水が常に貫流するため、花樹の生き生きとした状態をより一層長期間に亘って効率良く保つことができる。
【００２４】
請求項７記載の発明によれば、基体に複数の保持穴を形成したものであっても、窓穴のあけ方次第で天板部によって不要な穴を塞ぎながら、窓穴の真下の保持穴のみを見せることができる。従って、例えば、流派の基本に従って生ける場合は基体に化粧枠を取り付け、流派に関係なく自由に生けたい場合は化粧枠を基体から取り外せばよく、一つの基体であっても化粧枠さえあれば様々な生け方に対応することができる。また、下受バンドを用いて一体化するので、ネジ等で一体化するよりも基体が傷みにくく、取り付け及び取り外しの作業を迅速に行える。
【００２５】
請求項８記載の発明によれば、基体を盤に収容するものであっても請求項７と同等の効果が得られる。
【００２６】
請求項９記載の発明によれば、把持具を備えることにより、生け花を生けた状態のまま基体の移動や花器内からの出し入れが可能となるので、水交換作業がより一層容易に行うことができる。また、把持具の形状が棒状であるため、安定且つバランス良く基体を持ち上げたり移動させたりすることができるので、基体の移動中に花形が崩れることを確実に防止することができる。また、把持具を着脱可能にしておけば、基体を固定した後などに把持具を取り外しておけるので邪魔にならず、生け花の見栄えを損ねることもないので都合が良い。
【００２７】
請求項１０記載の発明によれば、外装容器体と基体を木製にすることにより、非常に安価となり加工性にも優れ、さらに有害な物質を含まないことから後処理も簡便に行えるので、今までには考えられなかった木製の花器を提供することができる。また外装容器体内に基体を固定して一体化することにより、基体の保持穴の効果と相まって生け花の不動状態をより一層確実に保つことができると共に、排水手段を備えることで、外装容器体を移動させることなく外装容器体内の水交換作業を行うことが可能となり、特に展示会場や特設会場などといった室内外問わず広い場所で使用する大型の花器として好適となる。
【発明を実施するための最良の形態】
【００２８】
図１（ａ）（ｂ）（ｃ）は本発明の第１実施形態を示す。本発明の生花整形体は円柱状の木製からなる基体１と、挿し込まれる花樹を保持するための基体１の上面から内部に向かって下窄み状に形成された逆円錐状の保持穴２と、から構成される。保持穴２は、上下方向に貫通して垂直に形成され且つ下面に向かって１５°〜２５°（好ましくは１８°〜２０°）のテーパを設けた主穴２ａと、約２５°〜５０°傾斜するように形成される補助穴２ｂとから構成され、主穴２ａは基体１の上面に間隔をあけて十字状に配置され、図１（ｂ）（ｃ）に示すように基体１の下面側に貫通させている。補助穴２ｂは、主穴２ａの外側に配置されており、基体１の中心部に形成した主穴２ａの中間部分に向かって傾きを設けて形成してある。基体１の外周面には、相対向する位置に貫通する透水孔３が複数形成されており、主穴２ａ及び補助穴２ｂがどれかの透水孔３に連通するようになっている。このように構成すれば、主穴２ａ及び補助穴２ｂに花樹を挿し込むだけで逆円錐状の部分において花樹を容易且つ強固に固定保持することができる。また花器内に収納して水を注いだ場合、花器内の水が透水孔３を介して主穴２ａ及び補助穴２ｂ内に循環可能となり、水が一定の場所に留まることを防ぐことができる。また生けた花樹の不動状態を確実に保つことができるので、水交換作業が容易となり、透水孔３の作用と相まって生け花の生き生きとした状態を長期間に亘って保つことができる。
尚、主穴２ａを基体１の下面側に貫通させてあるので、主穴２ａに花樹を差さない場合には主穴２ａの一部を透水孔３とすることができる。また、補助穴２ｂの傾斜角度については、必ずしも２５°〜５０°に限定するものではなく、作り上げられる生け花の姿全体にバランスの良いあしらいを構成することができる角度を全て含めるものであり、好みに応じて適宜な角度にすることができる。
【００２９】
図２（ａ）（ｂ）（ｃ）は本発明の第２実施形態を示す。第１実施形態と相違するところは、図２（ｂ）に示すように、主穴２ａを基体１の中心部側に寄せて配置し、中心位置に配置される主穴２ａのみを垂直に形成し、その周辺に配置される他の主穴２ａは基体１の下面に向かって内側に９°〜１０°傾斜するように形成されている点である。このように構成することで、基体１の外周に向かって挿し込まれる花樹に徐々に傾斜を持たせることが可能となり、より自然な見栄えの良い生け花を作り上げることができる。
【００３０】
ここで、保持穴２の配置や個数については上記実施形態のものに限定されるものではなく、様々な配置や形成個数が考えられるが、その中でも第１実施形態は生け花には多様な流派があることを考慮し、流派を問わずにどの流派においても剣山の代わりとして使用することを可能にした形態の代表例であり、第２実施形態は流派に関係なく自由に花樹を生けることを可能にした大衆向けの剣山に相当するものとして使用する形態の代表例である。これ以外のものとしては、図３（ａ）（ｂ）（ｃ）（ｄ）（ｅ）に示すようなものが挙げられる。図３（ａ）は基体１の中心部に一直線上に主穴２ａを形成し、その他の外周部周辺に補助穴２ｂを形成したものである。これは、流派の中でも特に池坊に対応したものとなっており、剣山代わりとして違和感無く使用することができる。図３（ｂ）は基体１の中心にのみ主穴２ａを設けたものであり、補助穴２ｂについては図３（ａ）と同様である。図３（ｃ）は主穴２ａのみを基体１の中心部に形成し、一輪挿しとして使用可能にしたものである。図３（ｄ）は基体１の形状を円柱状から角柱状（八角柱状）にしたものであり、主穴２ａ及び補助穴２ｂの形態は第１実施形態と同様である。基体１の形状を角柱状にすることにより、保持穴２及び透水孔３を加工する際に、側面においてしっかりと基体１を固定保持しながら加工が容易に行えるので加工性が向上する。図３（ｅ）は基体１の形状を三角柱状にし、主穴２ａと補助穴２ｂをそれぞれ設けたものである。
【００３１】
図４（ａ）（ｂ）は本発明の第３実施形態を示す。第１実施形態と相違するところは、円筒状の化粧枠４の内部に基体１を収納し、基体１を外観から見えないようにしている点である。このように構成すれば、体裁が良好になるので、花器内から生花整形体が見えるような場合であっても、生け花の外観を損ねることがない。また、化粧枠４は水に沈むような材質、例えば陶器や有害でない金属などから形成されているので、基体１全体に重量を持たせることができ、花器内に収納して水を注いだ際に、基体１が浮き上がることを防ぐことができると共に、生け花の重みで基体１が倒れてしまうことを防ぐことができ、作り上げた生け花により一層安定感を持たせることができる。化粧枠４の外周壁には基体１に形成された透水孔３を塞がないように、透水孔３に連通する貫通孔５が形成されている。また、化粧枠４の上端は、内側に向かって径が小さくなるように鍔部６が形成されており、基体１の上端が鍔部６に係止して上方に飛び出ることを防いである。基体１の収納状態は、嵌め込み式などのように着脱可能にしてもよいが、第３実施形態では外周面をビス７止めして固定してある。尚、固定方法としては、ビス７止めに限定されるものではなく、接着剤などによって固着してもよい。
【００３２】
図５（ａ）（ｂ）は本発明の第４実施形態を示す。第４実施形態と大きく相違するところは、基体１の下方に重量部材８を固定し、さらに基体１に重量を持たせている点である。また化粧枠４の下端位置を基体１に形成した透水孔３の上端位置にし、透水孔３を塞ぐことを確実に防いでいる点である。さらに化粧枠４は基体１の周囲を覆う筒部４ａの上面には、基体１の上面を覆う天板部４ｂを設けてある。なお天板部４ｂの一形態が前記鍔部６となる。基体１に形成する保持穴２が主穴２ａのみであり、基体１の中心部に一直線上に間隔をあけて配置されており、その主穴２ａ部分のみが開口するように天板部４ｂの上面に窓穴９を設けている点である。このように構成すれば、重量部材８によってさらに基体１に安定感を持たせることができるだけでなく、基体１の下方にウエイトを置くことで、重心位置が下がりより一層安定感を持たせることができるので、生け花の花形をより一層安定に保つことができる。重量部材８の材質としては、化粧枠４と同様に陶器や有害でない金属などといった、水に沈むような材質であれば特に限定するものではない。重量部材８には、主穴２ａの下端を塞がないように貫通孔１０が形成してある。基体１への重量部材８の固定手段としては、重量部材８の下面からビス７止めによって固定するものであるが、接着材などで固着してもよい。第４実施形態は、生け花の流派の中でも特に池坊に最適な形態であり、従来のような高度な技術を要さずに、誰もが容易に池坊の流派に則した生け方で素晴らしい生け花を作ることができる。
【００３３】
図６は本発明の生花整形体の使用例を示し、水盤状の花器１１に本発明の第１実施形態を用いた使用例である。この場合、基体１の下方に重量部材８を固定し、基体１が浮き上がることを防いでいる。図６の符号１２は基体１に生けた花樹である。このように、基体１の主穴２ａ及び補助穴２ｂに花樹１２を挿し込むだけで、自分の思い通りの花形や、生け花の流派に応じた花形を容易に作り上げることができると共に、各穴２ａ，２ｂ内に挿し込むだけで花樹１２の不動状態を確実に保持することができるので、生け花の花形を崩すことなく花器１１内から基体１を出し入れすることが可能となり、花器１１内の水交換作業を簡便に行うことができる。
【００３４】
図７は本発明の生花整形体の他の使用例を示し、第１実施形態の基体１を塩化ビニール製の円筒状の筒体１３内の上部に嵌め込んで固定させた形態のものである。この場合、基体１を嵌め込み易いようにするために、基体１の外周壁を下方に向かって径が小さくなくようにテーパ状に形成してある。筒体１３には上げ底状に木製の底板１４がビス７止めで固定されており、底板１４の中心位置には排水孔１５が形成されており、その排水孔１５に排水用のホース１６が取り付けてある。ホース１６は弾力性を保有するシリコンなどからなり、ホース１６の一端を排水孔１５内に弾力を利用して圧入し排水孔１５の内周壁に強固に当接させて、排水孔１５から容易に抜けないようにしてある。ホース１６の他端は、筒体１３の下端部分に形成した貫通孔１７を介して筒体１３の外部に導かれており、止水するための止水部材（図示省略）が備えてある。止水部材としては、着脱可能なコルク状の栓部材であってもよいし、クリップなどであってもよい。ホース１６の一端は筒体１３内の水を完全に排水可能なように、底板１４の上面と面一になっている。また、ホース１６の他端を筒体１３の背面側に配置することで外観から見えなくなるため、生け花の体裁を損なうことはない。筒体１３内の水を排水する場合は、止水部材を外して洗面器などの受水容器（図示省略）に排水してもよいし、ホース１６の他端を予め流し台などに導いておいてもよい。このようにホース１６を備えることで、筒体１３を動かすことなく筒体１３内の水交換を簡便に行うことができるので、生け花の花形の不動状態をより確実に保持することができる。
【００３５】
図８（ａ）（ｂ）は本発明の第５実施形態を示す。第１実施形態と相違するところは、基体１を持ち上げたり移動させるために用いる把持具２２を備えるための把持具取付孔２３が形成されている点である。把持具２２は図８（ａ）（ｂ）には図示していないが、安定に基体１を移動可能なように棒状をなしている。把持具取付孔２３は基体１の上面から下面に向かって垂直に形成してあり、形成する位置は生けた花樹の邪魔にならないように基体１の外周縁近傍に形成してある。この把持具取付孔２３内に把持具２２を取り付ける方法としては、後述するように、ネジを形成して螺合させてもよいし、弾力を利用して圧入してもよいし、スナップ式に嵌合させてもよく、花樹を生けた状態の基体１を持ち上げ移動させることが可能な形態であれば、特に限定するものではない。
【００３６】
ここで、図８（ａ）の生花整形体は、補助穴２ｂが線Ｂのような方形状に配置されるように設けられており、これは流派を問わず自由に花樹を生ける代表的なタイプのものである。一方、図８（ｂ）の生花整形体は、線Ｃのように最上部に位置する主穴２ａと略正三角形に配置されるように補助穴２ｂが設けられており、基体１の上面に間隔をあけて十字状に配置された主穴２ａの他に、線Ｃの頂点の主穴２ａの近傍にも主穴２ａが複数形成されており、これは流派の中でも特に滝生派に近いタイプのものとなる。図８（ｂ）の生花整形体は、線Ｃの頂点が背面側にくるようにして花樹を生けると滝生派に近い生け方が可能となり、反対に頂点が正面側にくるようにして花樹を生けると、流派に関係なく自由に生けることが可能となり、一つの基体１で多様な生け方が可能となる。
尚、補助穴２ｂの傾斜角度は３５°〜４５°となっており、滝生派の基本に則して花樹を生けることが可能なような傾斜角度の範囲になっている。
【００３７】
図９（ａ）（ｂ）（ｃ）は本発明の第６実施形態を示す。第５実施形態と相違するところは、花器内の水を主穴２ａ及び補助穴２ｂ内に貫流させる部分が透水孔３ではなく、基体１の下面に形成した透水溝２４になっている点である。このように透水孔３だったものを透水溝２４にしても、主穴２ａ及び補助穴２ｂが透水溝２４に貫通するため、花器内の水が各穴２ａ，２ｂ内に循環して生けた花樹を長持ちさせることは勿論のこと、穴よりも溝の方が容易に加工ができるので、より一層低コスト化を図ることができる。
【００３８】
図１０（ａ）（ｂ）（ｃ）は本発明の第７実施形態を示す。第５実施形態と相違するところは、基体１の高さが約１５ｍｍと低い形態のものであり、基体１の外周面に透水孔３を形成することが困難であるため、基体１の上面から下面に貫通する垂直な透水孔２５にしている点である。透水孔２５は主穴２ａ及び補助穴２ｂの邪魔にならない箇所に形成することが望ましく、第７実施形態では基体１の中心部に形成した主穴２ａの周囲を囲むように形成されている。また、透水孔２５の一つは把持具取付孔２３と共通にしてある。把持具取付孔２３の内周面には、ネジが形成された取付金具２６が固着されており、その取付金具２６に外周面にネジが形成された把持具２２の下端部を螺合させることにより、把持具２２が基体１に着脱可能に取り付けられる。把持具２２の取付個数は単数であってもよいし、第７実施形態に示すように複数個取り付けてもよい。複数個取り付けた把持具２２の一部は基体１に固定してあり、その他は着脱可能に取り付けてある。このように複数個取り付ければ、安定にバランス良く基体を移動させることができる。
【００３９】
第７実施形態のように基体１の高さが低い場合は、剣山代わりとして使用するよりも、図１１に示すような下窄み状の花瓶などの花器１１の口部近傍の内周面に当接させて使用する場合が多い。そのため、花器１１の内周壁に安定に係止させるためにも、基体１を下方に向かって径が小さくなるようにテーパ状に形成してある。また、基体１を花器１１の口部近傍に係止させたままの状態で花器１１内の水交換が行えるように、基体１の外周縁近傍には排水孔２７が複数形成してある。
【００４０】
図１２（ａ）（ｂ）は本発明の第８実施形態を示す。第５実施形態と相違するところは、上面の一部が開口するように窓穴９を形成した化粧枠４の内部に基体１を収納し、化粧枠４の外周面から打ち込まれるビス７によって基体１を固定している点である。化粧枠４の窓穴９は、第５実施形態の基体１の中心部に一直線上に配置された複数の主穴２ａのみが開口するように設けられている。また、化粧枠４の上面には、基体１上面に形成した把持具取付孔２３に連通するような把持具取付補助孔２８が形成されている。また、化粧枠４の側周壁には基体１に形成された透水孔３を塞がないように、透水孔３に連通する貫通孔５が形成されている。
【００４１】
図１３は本発明の第９実施形態を示す。第８実施形態と相違するところは、化粧枠４の窓穴９が基体１の上面が略全て見えるように開口している点である。具体的には、内部に収容する基体１が化粧枠４から上方に飛び出してしまうことを防ぐように、基体１の上面縁部を化粧枠４の内側上面で係止可能な程度に窓穴９が開口している。
尚、化粧枠４の高さは必ずしも基体１の高さに合わせる必要はなく、例えば図中の点線で示すように、化粧枠４の高さのみを高くすることにより、壺状などの背丈の高い花器内にも容易に収納して剣山代わりとして使用することが可能となる。また、把持具２２を備えているため花器内への出し入れも容易に行うことができるので、どのような形状の花器内にも収納可能となる。
【００４２】
図１４は本発明の第１０実施形態を示す。第９実施形態と相違するところは、化粧枠４内に基体１を収納せずに、基体１の下面に重量部材８をビス７止めしている点である。重量部材８には主穴２ａ及び補助穴２ｂを塞がないように貫通孔１０が形成してある。把持具２２を備えているため、多少重量がある基体１でも、容易に持ち上げて移動させることができる。
【００４３】
図１５は本発明の生花整形体を使用する花器の実施形態を示す斜視図である。この花器は、展示会場などの広い場所に設置されるような大型のものであり、上面が開口した方形状の木製外装容器体１８と、外装容器体１８の底面１９に固定した複数の基体１と、外装容器体１８側面の底面１９近傍位置に取り付けた排水ホース２０とから構成されている。基体１は様々な形態のものを使用しており、この実施形態においては第１実施形態の木製の基体１と、三角柱状の木製の基体１を使用しているが、木製であれば必ずしもこれに限定するものではない。基体１の固定手段としては、外装容器体１８と基体１が木製であることから、外装容器体１８の底面１９の裏側から釘などを打ち込んで固定してもよいし、接着剤などを用いて固着させてもよい。排水ホース２０は、弾力性を保有するシリコンなどから形成されており、その取付方法としては、外装容器体１８の側面に排水孔２１を形成し、その排水孔２１に排水ホース２０の一端を弾力を利用して圧入して引き抜きを困難にしてあるが、ジョイントなどを介して排水ホース２０の一端を外装容器体１８に取り付けてもよい。排水ホース２０の他端は外装容器体１８の外部に突出しており、止水するための止水部材（図示省略）が備えてある。排水ホース２０の一端は、外装容器体１８内の水を完全に排水可能にするためにも、外装容器体１８側面の内面と面一にすることが望ましい。また排水ホース２０は、生け花の体裁を損なうことを防ぐためにも外装容器体１８の背面側に配置することが望ましい。排水ホース２０を取り付けておけば、外装容器体１８を動かすことなく外装容器体１８内の水交換を簡便に行うことができるので、大型の花器には好適となる。勿論、生け花の花形の不動状態も確実に保持することができる。
【００４４】
このように、大型の外装容器体１８内に複数の基体１を自由に配置固定することで、生け花を越えた一つのオブジェにすることができ、展示会場や特設会場などの広い会場においては非常に見栄えがよく好適となる。これは今までには考えられないような非常に斬新なアイディアであり、挿し込まれる花樹１２の不動状態を確実に保持できる本発明の生花整形体だからこそなし得るものである。また、水交換作業も排水ホース２０で容易に行えるので、どんなに大型の外装容器体１８であろうとも、生け花のみずみずしさを長期間に亘って保つことができ、木製の効果とも相まって今までにはなかった非常に優れた花器の提供となる。尚、外装容器体１８の形状は本実施形態の方形状に限定されるものではなく、木製であれば円筒形状などどのような形状であってもよく、下方に脚部を設けてもよい。また、排水ホース２０の取付位置は外装容器体１８の側面に限らず、外装容器体１８に脚部を備えて底面１９に備えてもよい。このようにすれば、外装容器体１８内の水は完全に排水可能となる。
【００４５】
図１６〜図１９は本発明の第１１実施形態を示す。これは基体１を盤２９に抜き差し可能に止めたこと、及び基体１の保持穴２を基体１の一辺と同等の長穴としたことを特徴とする。
【００４６】
盤２９は木製で、その上面に基体１を上方から挿入する収容穴３０を中央部に大きくあけ、収容穴３０に基体１を抜き差し可能に遊びをもって収容してある。収容穴３０と基体１がいずれも平面視正方形であるので、収容穴３０内での基体１の向きを９０度ごとに段階的に変更できる。収容穴３０に基体１を入れてあっても指で摘んで基体１の向きを変えられるように、基体１の上部を盤２９の上に約８ｍｍ程突出させてある。また、収容穴３０の底部中央には貫通穴３１を長穴状にあけてある。盤２９の底面には、外周から収容穴３０の貫通穴３１に通じる溝状の導通路３２を凹ませて形成してある。貫通穴３１と導通路３２によって、保持穴２に通じる導水部３３を形成してあるので、生花整形体を水中に沈めた場合に、基体１の保持穴２内の水は滞留することなく、それゆえ、保持穴２に挿した生花の生気を保持できる。
【００４７】
また、収容穴３０に入れた基体１を盤２９と一体化する拘束手段３４が以下の通り設けてある。盤２９には図１８に示すように、高さ中間部の周囲に沿って凹溝３５を環状に形成してある。凹溝３５の一部（図中、３箇所）は収容穴３０と通じる開口３６となる。収容穴３０に入れた基体１は、その外周部隅角が開口３６を経て凹溝３５に食み出しており、凹溝３５の周囲に固定バンド３７を巻いた場合に、食み出した部分が固定バンド３７に押されて、基体１が収容穴３０の内周面に押し付けられて回転不能となる。また、拘束手段３４は、盤２９と基体１を一体化することによって、基体１に刺した花樹を安定させる役割も果たす。
【００４８】
固定バンド３７は、伸縮性のあるものであれば充分であって、例えば合成や天然のゴムが挙げられる。固定バンド３７は、収容穴３０に基体１を入れた後に凹溝３５に嵌めて基体１を拘束したり、引っ張って拘束を解除したり、基体１や盤２９を洗う際に完全に外して使用するものである。従って、単なるワッカではなくて、ワッカ３８の一部から引っ張り部分３９を突出した形態であることが望ましい。なお、ワッカ状の固定バンド３７の一部を結んで引っ張り部分３９を形成してある。
【００４９】
生花整形体は花器の中に入れ水に漬けて使用するが、基体１、盤２９、固定バンド３７、化粧枠４に分解できるので、水垢等の汚れを除去しやすい。なお、盤２９の収容穴３０及び基体１を平面視円形に形成すれば、収容穴３０に基体１を回転可能に保持できるので、基体１の向きを無段階で変更可能となる
【００５０】
図２０〜図２２は本発明の第１２実施形態を示す。これは盤２９の上から化粧枠４を被せて、化粧枠４を盤２９と一体化するために下受バンド４０を化粧枠４の下部の複数個所に緊張した状態で掛け渡して、その掛け渡した下受バンド４０によって盤２９の底面を支持する構造としたものである。具体的には化粧枠４は、盤２９より一回り大径の筒部４ａの上端部から鍔状の天板部４ｂを内向きに突出し、天板部４ｂで盤２９の上面縁部に引っかける。また、筒４ａの下端部から環状の外鍔４１を外向きに突出し、外鍔４１には、下受バンド４０を掛ける切欠４２を複数（図中、４箇所）設けてあり、４つの切欠４２に通した１本の下受バンド４０で盤２９の底を二列状に支持してある。また、図示していないが、固定バンド３７の引っ張り部分３９を凹溝３５内に沿わせて収容できるので、外観上、凹溝３５及び引っ張り部分３９が表れず、しかも盤２９の周囲が化粧枠４によって覆われて見栄えが良くなる。また、下受バンド４０を用いるので、ネジ止めして化粧枠４と盤２９を一体化する構造よりも盤２９が傷みにくく、しかも化粧枠４の着脱作業が迅速に行える。化粧枠４の重量によって化粧枠４に重りとしての役割を持たせることも可能である。なお、下受バンド４０による支持構造を基体単体に対して適用しても良い。
【００５１】
図２３（ａ）（ｂ）（ｃ）（ｄ）は保持穴２の配置や個数の様々なパターンを示す。このように基体１に設ける保持穴２は、長穴を複数設けたり、長穴の一部に丸穴を連続して設けたり、長穴と丸穴を別々に複数設けたり、長穴の長さやその配置の仕方も自由自在である。長穴の一部に一回り大径の丸穴を連続して設けた場合は、丸穴に太い花樹を挿し、長穴の他の箇所には細い花樹を挿すことができ、多様な活け方ができる。
【図面の簡単な説明】
【００５２】
【図１（ａ）（ｂ）（ｃ）】生花整形体の第１実施形態を示す斜視図、Ａ−Ａ矢視の断面図及び下面図である。
【図２（ａ）（ｂ）（ｃ）】生花整形体の第２実施形態を示す平面図、Ａ−Ａ矢視の断面図及び下面図である。
【図３（ａ）（ｂ）（ｃ）（ｄ）（ｅ）】保持穴の配置位置及び形成個数の様々なパターンを示す平面図である。
【図４（ａ）（ｂ）】生花整形体の第３実施形態を示す平面図及びＡ−Ａ矢視の断面図である。
【図５（ａ）（ｂ）】生花整形体の第４実施形態を示す平面図及びＡ−Ａ矢視の断面図である。
【図６】生花整形体の使用例を示す一部を切欠した斜視図である。
【図７】生花整形体の使用例を示す断面図である。
【図８（ａ）（ｂ）】生花整形体の第５実施形態を示す平面図である。
【図９（ａ）（ｂ）（ｃ）】生花整形体の第６実施形態を示す平面図、Ａ−Ａ矢視の断面図及び下面図である。
【図１０（ａ）（ｂ）（ｃ）】生花整形体の第７実施形態を示す平面図、Ａ−Ａ矢視の断面図及び下面図である。
【図１１】第７実施形態の使用例を示す断面図である。
【図１２（ａ）（ｂ）】生花整形体の第８実施形態を示す平面図及びＡ−Ａ矢視の断面図である。
【図１３】生花整形体の第９実施形態を示す断面図である。
【図１４】生花整形体の第１０実施形態を示す断面図である。
【図１５】生花整形体を使用する花器の実施形態を示す一部を切欠した斜視図である。
【図１６】生花整形体の第１１実施形態を示す斜視図である。
【図１７（ａ）（ｂ）】生花整形体の第１１実施形態を示す平面図、左側面図である。
【図１８（ａ）（ｂ）】図１７のＡ−Ａ矢視の断面図、Ｂ−Ｂ矢視の断面図である。
【図１９（ａ）（ｂ）（ｃ）（ｄ）（ｅ）】盤の平面図、下面図、正面図、Ａ−Ａ矢視の断面図、Ｂ−Ｂ矢視の断面図である。
【図２０】生花整形体の第１２実施形態を示す斜視図である。
【図２１】生花整形体の第１２実施形態を示す断面図である。
【図２２】化粧枠と盤と下受バンドの関係を示す平面図である。
【図２３（ａ）（ｂ）（ｃ）（ｄ）】保持穴の配置位置及び形成個数の様々なパターンを示す平面図である。
【符号の説明】
【００５３】
１  基体，  ２  保持穴，  ３  透水孔（透水部），  ４  化粧枠，  ４ｂ  天板部，  ９  窓穴，  １８  外装容器体，  ２０  排水ホース（排水手段），  ２２  把持具，  ２４  透水溝（透水部），  ２５  透水孔（透水部），  ２９  盤，  ３０  収容穴，  ３３  導水部，  ３４  拘束手段、  ４０  下受バンド
【図１（ａ）（ｂ）（ｃ）】
2007090034.tif 000003
【図２（ａ）（ｂ）（ｃ）】
2007090034.tif 000004
【図３（ａ）（ｂ）（ｃ）（ｄ）（ｅ）】
2007090034.tif 000005
【図４（ａ）（ｂ）】
2007090034.tif 000006
【図５（ａ）（ｂ）】
2007090034.tif 000007
【図６】
2007090034.tif 000008
【図７】
2007090034.tif 000009
【図８（ａ）（ｂ）】
2007090034.tif 000010
【図９（ａ）（ｂ）（ｃ）】
2007090034.tif 000011
【図１０（ａ）（ｂ）（ｃ）】
2007090034.tif 000012
【図１１】
2007090034.tif 000013
【図１２（ａ）（ｂ）】
2007090034.tif 000014
【図１３】
2007090034.tif 000015
【図１４】
2007090034.tif 000016
【図１５】
2007090034.tif 000017
【図１６】
2007090034.tif 000018
【図１７（ａ）（ｂ】
2007090034.tif 000019
【図１８（ａ）（ｂ）】
2007090034.tif 000020
【図１９（ａ）（ｂ）（ｃ）（ｄ）（ｅ）】
2007090034.tif 000021
【図２０】
2007090034.tif 000022
【図２１】
2007090034.tif 000023
【図２２】
2007090034.tif 000024
【図２３（ａ）（ｂ）（ｃ）（ｄ）】
2007090034.tif 000025